(57)【要約】      （修正有）【課題】空調機の冷房運転時や冷蔵・冷凍装置等の装置稼動時の消費電力を低減し、そして冷凍能力を向上させる。【解決手段】既設の空調機或いは冷蔵・冷凍機等の装置本体に対し、前記装置本体の圧縮機と熱交換器との間に前記装置本体の熱媒体を貫流するよう配管接続され、前記装置本体の圧縮機で高温・高圧にされた熱媒体を凝縮する追加の小容量熱交換器４と、前記小容量熱交換器４に微小な水滴を噴霧するミストノズル５と、前記ミストノズル５に浄水を高圧で供給する供給装置と、前記供給装置を制御する制御装置とを付加することにより前記制御装置により前記供給装置で浄水を前記ミストノズル５に送って、前記ミストノズル５より前記浄水を１０μｍ乃至５０μｍの微小な水滴として前記小容量熱交換器４の外表面全体に噴霧し、前記小容量熱交換器４を付加凝縮器として動作させる。【選択図】図１
2012202648.tif 000002
【特許請求の範囲】
【請求項１】
既設の空調機の冷房運転時、或いは冷蔵・冷凍機の装置稼動時において、前記装置本体の消費電力の削減を少ない用水で可能とし、さらに前記装置の冷房・冷凍能力を向上させ、加えて金属製放熱フィンの腐食を起こさずに前記装置本体の長期間の運転を可能にする付加凝縮装置であり、既設の空調機或いは冷凍機等の装置本体に対し、
前記装置本体の圧縮機と熱交換器との間に前記装置本体の熱媒体を貫流するよう配管接続され、前記装置本体の圧縮機で高温・高圧にされた熱媒体を凝縮する追加の小容量熱交換器と、
前記小容量熱交換器に微小な水滴を噴霧するミストノズルと、
前記ミストノズルに浄水を高圧で供給する供給装置と、
前記供給装置を制御する制御装置と  を付加することにより
前記制御装置により前記供給装置で浄水を前記ミストノズルに送って、前記ミストノズルより前記浄水を１０μｍ乃至５０μｍの微小な水滴として前記小容量熱交換器の外表面全体に噴霧し、前記小容量熱交換器を付加凝縮器として動作させることを特徴とする付加凝縮装置。
【請求項２】
前記小容量熱交換器の温度を５０℃乃至１３０℃に保ち付加凝縮器として動作させることを特徴とする特許請求の範囲第１項記載の付加凝縮装置。
【請求項３】
既設の空調機の冷房運転時、或いは冷蔵・冷凍機の装置稼動時において、前記装置本体の消費電力の削減を少ない用水で可能とし、さらに前記装置の冷房・冷凍能力を向上させ、加えて金属性放熱フィンの腐食を起こさずに前記装置本体の長期間の運転を可能にする方法であり、
既設の空調機或いは冷凍機等の装置本体に対し、
前記装置本体の圧縮機と熱交換器との間に前記装置本体の熱媒体を貫流するよう配管接続され、前記装置本体の圧縮機で高温・高圧にされた熱媒体を凝縮する追加の小容量熱交換手段と、
前記小容量熱交換手段に微小な水滴を噴霧する噴霧手段と、
前記噴霧手段に浄水を高圧で供給する供給手段と、
前記供給装置を制御する制御手段とを付加することにより
前記制御手段により前記供給手段で浄水を前記噴霧手段に送って、前記噴霧手段より前期浄水を１０μｍ乃至５０μｍの微小な水滴として前記小容量熱交換手段の外表面全体に噴霧し、前記追加の小容量熱交換手段を付加凝縮器として動作させる。
【発明の詳細な説明】
【技術分野】
【０００１】
本発明は、空調機の冷房運転あるいは冷蔵・冷凍機等の装置稼動中に消費される電力の削減や、冷凍能力の向上等を可能とする付加凝縮装置に関する。
【背景技術】
【０００２】
従来より空調機の冷房運転時や冷蔵・冷凍装置等の冷蔵・冷凍運転時の消費電力を低減する方法としては、その空調機等において装置の室外ユニットなどに備えられ熱媒体を冷却し液化させる熱交換器（凝縮器）の金属製フィン部分に直接、水を噴霧する補助冷却装置などが提案されている。このような補助冷却装置が設置された冷却装置では、その熱交換器（凝縮器）の表面に噴霧により付着した水が熱交換器（凝縮器）の表面から熱を奪って蒸発するため、熱交換器（凝縮器）における熱交換が補助されることになる。そのため、こうした補助冷却装置は、冷却動作全体としての省エネルギー効果を向上させるものとして大いに期待されている。
【０００３】
例えば、特許文献１ には、このような補助冷却装置が開示されている。この補助冷却装置では、冷却装置の内部情報に基づいて評価された情報により判断され、噴霧部により冷却装置の熱交換器（凝縮器）に向けて水が噴霧されることにより熱交換器（凝縮器）における熱交換が促され、冷却装置による冷却動作が補助され、冷却装置による冷却動作の安全性を維持しつつ、水の噴霧により省エネルギーを図ることができるとされている。
【先行技術文献】
【特許文献】
【０００４】
【特許文献１】特開２００７−２８５６８６号公報
【発明の概要】
【発明が解決しようとする課題】
【０００５】
ここに示された補助冷却装置では、噴霧部により冷却装置の熱交換器（凝縮器）に向けて水が噴霧されることにより熱交換器（凝縮器）における熱交換が促され、冷却装置による冷却動作が補助される。そして冷却装置の内部情報に基づいて補助冷却装置において判断され、この補助冷却装置では、冷却装置による冷却動作の安全性を維持しつつ、水の噴霧により省エネルギーを図ることができるとされているが、噴霧する水に含まれる塩素などの成分により、熱交換器（凝縮器）のフィンを腐食させたり、また熱交換器（凝縮器）の温度が５０℃前後において作動されるために噴霧した水滴による冷却動作において熱交換の効率も高くならず、熱媒体の液化が十分でなかったり、また熱媒体を液化にするために熱媒体の圧力を高める圧縮機等で消費される電力の低減も十分なものではない。
【０００６】
本発明は、上記のような実情に鑑みてなされたものであり、空調機の冷房運転時や冷蔵・冷凍装置等の冷蔵・冷凍運転時に最小限の水量で十分な消費電力の低減が可能で、加えて冷凍能力を向上可能な空調機等を提供することを目的とする。
【課題を解決するための手段】
【０００７】
既設の空調機の冷房運転時、或いは冷蔵・冷凍機の装置稼動時において、前記装置本体の消費電力の削減を少ない用水で可能とし、さらに前記装置の冷房・冷凍能力を向上させ、加えて金属製放熱フィンの腐食を起こさずに前記装置本体の長期間の運転を可能にする付加凝縮装置であり、
既設の空調機或いは冷凍機等の装置本体に対し、
前記装置本体の圧縮機と熱交換器との間に前記装置本体の熱媒体を貫流するよう配管接続され、前記装置本体の圧縮機で高温・高圧にされた熱媒体を凝縮する追加の小容量熱交換器と、
前記小容量熱交換器に微小な水滴を噴霧するミストノズルと、
前記ミストノズルに浄水を高圧で供給する供給装置と、
前記供給装置を制御する制御装置とを付加することにより
前記制御装置により前記供給装置で浄水を前記ミストノズルに送って、前記ミストノズルより前記浄水を１０μｍ乃至５０μｍの微小な水滴として前記小容量熱交換器の外表面全体に噴霧し、前記小容量熱交換器を付加凝縮器として動作させる。
【０００８】
また、前記小容量熱交換器の温度を５０℃乃至１３０℃に保ち付加凝縮器として動作させる。
【０００９】
さらに、既設の空調機の冷房運転時、或いは冷蔵・冷凍機の装置稼動時において、前記装置本体の消費電力の削減を少ない用水で可能とし、さらに前記装置の冷房・冷凍能力を向上させ、加えて金属製放熱フィンの腐食を起こさずに前記装置本体の長期間の運転を可能にする方法であり、
既設の空調機或いは冷凍機等の装置本体に対し、
前記装置本体の圧縮機と熱交換器との間に前記装置本体の熱媒体を貫流するよう配管接続され、前記装置本体の圧縮機で高温・高圧にされた熱媒体を凝縮する追加の小容量熱交換手段と、
前記小容量熱交換手段に微小な水滴を噴霧する噴霧手段と、
前記噴霧手段に浄水を高圧で供給する供給手段と、
前記供給装置を制御する制御手段とを付加することにより
前記制御手段により前記供給手段で浄水を前記噴霧手段に送って、前期浄水を１０μｍ乃至５０μｍの微小な水滴として前記小容量熱交換手段の外表面全体に噴霧し、前記追加の凝縮手段を付加凝縮器として動作させる。
【発明の効果】
【００１０】
（１）第１発明の付加凝縮装置では、既設の空調機の冷房運転時や冷蔵・冷凍機の装置稼動時において、圧縮機で高圧に圧縮され高い温度になった熱媒体が圧縮機の出口直後で、その熱媒体を凝縮する付加された小容量熱交換器に流入することにより、小容量熱交換器（凝縮器）の温度が素早く高くなる。そして制御装置内で小容量熱交換器に設置したセンサからの検知温度が外気温度を超え５０℃以上になったと判定された場合、制御装置が供給装置を起動しミストノズルより１０μｍ乃至５０μｍの浄水の微小な水滴を小容量熱交換器の外表面全体に噴霧する。この浄水の微小な水滴の噴霧により小容量熱交換器の周囲の外気の温度が低下して、小容量熱交換器及び既設の熱交換器（凝縮器）の熱の放散を促すと同時に、高温となった小容量熱交換器のフィンに付着した浄水の微小な水滴がすばやく蒸発して、更に小容量熱交換器の熱の放散を促し熱媒体の冷却・液化を促進する。
【００１１】
これによって小容量熱交換器及び既設の空調機等の熱交換器の温度が下がり、結果として小容量熱交換器及び既設の空調機の熱交換器内での凝縮温度が下がり、圧縮機の圧縮仕事が、つまり負荷が減り、空調機の冷房運転時や冷蔵・冷凍機の装置稼動時の消費電力の低減が可能となる。また付随的に小容量熱交換器及び既設の空調機等の熱交換器における過冷却温度も下がりこの空調機や冷蔵・冷凍機の冷凍能力の向上も可能となる。また小容量熱交換器及び既設の空調機等の熱交換器の金属製のフィンなどの腐食に影響する塩素等の不純物の無い浄水を用いることによって長期間の利用を可能とする。
【００１２】
（２）第２発明によれば、制御装置に、既設の空調機、或いは冷蔵・冷凍機の装置稼動時において付加された小容量熱交換器の温度を検知するセンサやそのセンサの検知出力に基づくミストノズルからの噴霧量を制御する機能を備え、微小な水滴を噴霧する付加された小容量熱交換器の温度を５０℃乃至１３０℃に制御することで、小容量熱交換器に付着した水滴の蒸発をさらに促進して、より効率的な熱交換による小容量熱交換器及び既設の熱交換器の冷却、そして熱媒体の冷却・液化を可能とし、既設の空調機の冷房運転時、或いは冷蔵・冷凍機の装置稼動時の消費電力の低減と冷凍能力をさらに向上することが可能となる。
【００１３】
（３）第３発明によれば、既設の空調機の冷房運転時、或いは冷蔵・冷凍機の装置稼動時において、圧縮機で高圧に圧縮され高い温度になった熱媒体が小容量熱交換手段に流入することにより、付加された前記小容量熱交換手段の温度も素早く高くなる。そして制御手段内で小容量熱交換手段に設置したセンサからの検知温度が外気温度を超え５０℃以上になったと判定された場合、制御手段が供給手段を起動し噴霧手段より１０μｍ乃至５０μｍの浄水の微小な水滴を小容量熱交換手段の外表面全体に噴霧する。この浄水の微小な水滴の噴霧により小容量熱交換手段の周囲の外気の温度が低下して、小容量熱交換手段器及び既設の空調機等の熱交換器の熱の放散を促すと同時に、高温となった小容量熱交換手段のフィンに付着した浄水の微小な水滴がすばやく蒸発して、更に小容量熱交換手段の熱の放散を促し熱媒体の冷却・液化を促進する。
【００１４】
これによって小容量熱交換手段及び既設の空調機等の熱交換手段の温度が下がり、結果として小容量熱交換手段及び既設の空調機等の熱交換器内での凝縮温度が下がり、圧縮機の圧縮仕事が、つまり負荷が減り、空調機の冷房運転時や冷蔵・冷凍機の装置稼動時の消費電力の低減が可能となる。また付随的に小容量熱交換手段及び既設の空調機等の熱交換器における過冷却温度も下がりこの空調機や冷蔵・冷凍機の冷凍能力の向上も可能となる。また小容量熱交換手段及び既設の空調機等の熱交換器の金属製のフィンなどの腐食に影響する塩素等の不純物の無い浄水を用いることによって長期間の利用を可能とする。
【図面の簡単な説明】
【００１５】
【図１】本発明による付加凝縮装置を既設の空調機に設置した性能実験装置の概略図。
【図２】既設の空調機の室外ユニットに水滴を噴霧可能とした実験装置の概略図。
【発明を実施するための形態】
【００１６】
図１ に、本発明の実施にむけた実験装置の概略を示す。
空調機１ は、一般的に、室内ユニット２ａと室外ユニット２ｂおよび２つのユニットを結ぶ接続配管３とから構成され、室内ユニット２ａ及び室外ユニット２ｂに備えられた熱交換器（図示せず）において熱媒体を用いた可逆的な冷凍サイクル運転を行うことにより、室内ユニット２ａ が設置された室内の温度を上昇或いは下降させ、室内の空調すなわち冷暖房を行う。
室外ユニット２ｂには、室内ユニット２ａに備えられた第１の熱交換器（凝縮器）よりも小容量の熱媒体の凝縮手段である小容量熱交換器４、その近傍に少なくとも１つの噴霧手段であるミストノズル５とを備えている。そしてミストノズル５に高圧の浄水を供給する供給手段である高圧配管６、高圧ポンプ７さらに浄水の供給配管８などを備える。
この実験装置では空調機の消費電力を測定するために、室外ユニット２ｂの電源ラインの電力を測定する電流・電力計が接続されている。
【実施例】
【００１７】
（本発明の実施例の構成）
以下に、図１を参照して本発明の実施例について冷房運転時の動作を詳細に説明する。
比較の為に、図２に一般的なセパレート型の空調機１に噴霧手段であるミストノズル５を室外ユニット２ｂを外表面に近接配置した実験装置を示し、その冷暖房運転時の仕組みを簡略に説明する。このセパレート型の空調機１では、図示はしないが室外ユニット２ｂには圧縮機、熱交換器、その熱交換器に外気をあてる送風ファン、そして絞り弁や切り替え弁等を、そして室内ユニット２ａには熱交換器と送風ファンその他が備えられている。室外ユニット２ｂと室内ユニット２ａの間は接続配管３により接続され熱媒体を流通させている。
そして、室外ユニット２ｂの熱交換器は冷房運転時には凝縮器として、室内ユニット２ａより還流し圧縮機で高圧・高温になった熱媒体を、その熱交換器のフィンにおいて外気と熱交換して熱媒体を冷却して凝縮（液化）する。暖房運転時には蒸発器として、室内ユニット２ａにおいて熱を放散して還流した熱媒体を蒸発（気化）させる。
【００１８】
室内ユニット２ａの熱交換機は冷房運転時には蒸発器として、室外ユニット２ｂで液化された熱媒体を蒸発（気化）させて熱交換器の温度が低下し、室内ユニット２ａに備えられた送風ファンによって熱交換器のフィンに当る室内空気を冷やして室内に拡散させ、室内を冷房する。また、暖房運転時には凝縮器として、圧縮機から送られた高温・高圧の熱媒体により熱交換器の温度が上昇し、同じ室内ユニット２ａに備えられた送風ファンによって熱交換器のフィンに当る室内空気を暖め室内に拡散し、室内を暖房するという熱媒体を用いた可逆的な冷凍サイクル運転を行なう。
【００１９】
一方の本発明の一実施例である図１の空調機１の実験装置では、同じように図示はしないが室外ユニット２ｂには圧縮機、熱交換器、その熱交換器に外気をあてる送風ファン、そして絞り弁や切り替え弁等を、そして室内ユニット２ａには熱交換器と送風ファンその他が備えられ、加えて室外ユニット２ｂには、室内ユニット２ａに備えられた第１の熱交換器（凝縮器）よりも小容量の熱媒体の凝縮手段である小容量熱交換器４、その近傍に少なくとも１つの噴霧手段であるミストノズル５とを備えている。そしてミストノズル５に高圧の浄水を供給する供給手段である高圧配管６、高圧ポンプ７さらに浄水の供給配管８などを備える。
【００２０】
小容量熱交換器４の容量は取り付ける装置に備えられた圧縮機の最大能力と熱媒体の流量によって小容量熱交換器の温度が外気温２８℃＋／−２℃で９０℃＋／−２０℃になるサイズが目安となる。
高圧ポンプ７には１流体方式のプランジャポンプ式高圧ポンプで供給配管８からの浄水を圧力８ＭＰａで高圧配管６に吐出すものを得ている。
ミストノズル５は高圧ポンプ７による圧力を得てノズル先端から高圧配管６から供給された浄水を１５μｍから３０μｍの微小な水滴を噴霧するものを使用している。
【００２１】
その小容量熱交換器４は、室外ユニット２ｂに備えられた圧縮機と第１の熱交換器（凝縮器）との間に設置され、熱媒体が流れるように配管接続され、室外ユニット２ｂの送風ファンの外気取入れ口としての室外ユニット２ｂの開口部の外側に設置している。
また、噴霧手段であるミストノズル５は、小容量熱交換器４の放熱フィンの表面に、浄水の微小な水滴が効率よく散布されるようにノズルを少なくとも１つ設置している。
【００２２】
ミストノズル５のノズルの数と配置は、取り付ける装置に合わせて決定した小容量熱交換器４の表面積に応じてミストの噴霧範囲が小容量熱交換器４の表面を十分にカバーする数と位置に設定する。
本実施例では能力２．５ｋＷの家庭用空調機に取り付けた小容量熱交換器の投影面積が９００平方ｃｍでミストノズルを小容量熱交換器４の下辺に設置している。
今回の実験では、装置を室内に設置して実施しており、ミストノズル５のノズルは２個を使用して、浄水の消費量は８０ｃｃ／ｍｉｎと非常に少ない用水で空調機の消費電力を削減し、冷凍能力を向上させることが出来た。
また、空調機等の室外ユニットの室外への設置場所によっては風の通りが良い場所での設置になり、その場合には、ノズルからの噴霧する浄水の微小な水滴が小容量熱交換器４表面に効率よく散布されるように風防の設置などにより目的を達成することができる。
【００２３】
なお図示はしないが、小容量熱交換器４を既設の空調機などに設置する手順は、一般的な空調機の移設などで行なわれる熱媒体の室外ユニットへの閉じ込めの手順
１）室外ユニットの高圧側バルブを閉める
２）冷房運転を短時間行なう
３）室外機の低圧側のバルブを閉める
を行なった後、以下の作業で熱媒体を小容量熱交換器４に貫流させる流路の形成を図る。
４）アクセスバルブから、熱媒体の回収
５）アクセスバルブから空調機内の熱媒体流路全体の真空引きをする
６）圧縮機から第１の熱交換器への配管の切断
７）切断部に小容量熱交換器の入り出の配管の溶接して取り付け
８）アクセスバルブから真空引きと溶接部等の「漏れ」の確認
９）回収した熱媒体の最充填。（必要に応じて熱媒体の補充も）
【００２４】
（本発明の実施例の動作）
冷房運転時には、室外ユニット２ｂにおいて圧縮機で圧力と温度を高められたガス状の熱媒体がまず小容量熱交換器４に流れ、その小容量熱交換器４が小容量であるためその高温・高圧となったガス状の熱媒体の持つ熱により前期小容量熱交換器４の温度が最高で９０度近くまで素早く上昇する。
小容量熱交換器４の温度が上昇して外気温を超えて制御装置（図示せず）に備えられた温度をセンサー（図示せず）が検知すると、制御装置の指令により高圧ポンプ７が作動されて、供給配管８から供給された浄水が高圧ポンプ７によってその圧力が昇圧されてミストノズル５に供給され、ミストノズル５から１０μｍ乃至５０μｍの浄水の微小な水滴の噴霧が始まる。その噴霧された浄水の微小な水滴が室外ユニット２ｂ周囲の外気と混じることにより小容量熱交換器４（凝縮器）のフィンに当る送風ファンによる外気の温度も冷やされる。そして温度の低下した空気によって高温の熱媒体が貫流する小容量熱交換器４における熱交換が進み、結果として高温・高圧のガス状の熱媒体の温度を低下させ、小容量熱交換器４を流れるガス状の熱媒体の冷却・液化を促進する。
【００２５】
加えて小容量熱交換器４のフィンに付着した噴霧された浄水の微小な水滴が高い温度になった小容量熱交換器４のフィン表面で蒸発して小容量熱交換器の熱を放散させ、さらに小容量熱交換器４の温度を加速的に低下させ、ガス状の熱媒体の液化をより一層促進する。
小容量熱交換器４で温度を低下させられた熱媒体は室外ユニット２ｂの第１の熱交換器に流れて行き、ここでさらに第１の熱交換器においても、噴霧された浄水の微小な水滴で温度を下げた外気が第１の熱交換器のフィンに当てられ、第１の熱交換器を流れる熱媒体の冷却をさらに進め熱媒体の液化を十分なものにする。
【００２６】
その液化された熱媒体が弁（絞り弁）を介して従来の空調機１と同様に接続配管３を通して室内ユニット２ａに備えられた熱蒸発器としての熱交換器（図示せず）に送られる。送られた熱媒体が室内ユニット２ａの熱交換器の熱を奪って徐々に蒸発し、結果として熱交換器を冷却して室内ユニット２ａの熱交換器の温度が低下する。そしてその温度の低下した熱交換器のフィンに送風ファンにより室内の空気が当てられて室内空気と熱交換が行われ、室内ユニット２ａを備えた部屋の室内温度を下げ部屋を冷房する。
室内ユニット２ａの熱交換器（蒸発器）を出た熱媒体は熱交換器から奪った熱によって入り口よりも高い温度になって室外ユニット２ｂに還流し接続配管３によって圧縮機へ送られる。こうして室内ユニット２ａと室外ユニット２ｂそれぞれの熱交換器の間を熱媒体が接続配管３を介して循環する。
【００２７】
このように、本発明の付加凝縮装置によれば、供給された浄水をミストノズルから微小な水滴にして付加凝縮装置の小容量熱交換器の表面に噴霧することで、小容量熱交換器及び室外ユニットの第１の熱交換器のフィンに送風される外気の温度を下げ、微小な水滴の噴霧無しの通常の外気による熱交換器（凝縮器）より効率良く熱の放散を可能にし、高温・高圧となったガス状の熱媒体の液化を促進する。加えて、小容量熱交換器のフィンに直接付着した浄水の微小な水滴が、高い温度により蒸発することでさらに小容量熱交換器の熱を放散し、高温・高圧となったガス状の熱媒体の液化が十分に行われる。
【００２８】
こうして、浄水の微小な水滴を小容量熱交換器に噴霧することで付加凝縮装置及び室外ユニットの熱交換器内での凝縮温度が下がり、結果として、圧縮機の圧縮仕事が、つまり負荷が減り、空調機の消費電力を低減することが可能となる。
また付随的に熱交換器における過冷却温度も下がりこの空調機の冷凍能力も上がる。
さらに、塩素等の不純物を含まない浄水を微小な水滴にして熱交換器に噴霧しているので、熱交換器本体やフィンその他に付着しても、塩素等の一般上水に含まれる不純物によって起こる腐食が無く長期間の運転を可能にすることができる。
【００２９】
なお、暖房運転時には、ミストノズルからの浄水の微小な水滴の噴霧はせずに、この小容量熱交換器は室外ユニットに備えられた熱交換器と共に蒸発器として動作する。
【００３０】
（実験による検証）
本発明による付加凝縮装置を備えた空調機の冷房運転時の省電力効果について、空調機に供給する電源ラインの電流を図２に示した実験装置で実測した数値によって表１によって説明する。（表中「コンデンサ」とあるのは小容量熱交換器をさしている。）
今回は、広さが３５平方メートルの室内を、湿度をほぼ一定に、室内温度を３２℃から３４℃にほぼ一定に保つように空調機を運転し、省電力の効果を比較するために空調機の条件を４つ設定して実験を実施した。
この時の浄水の使用量はミストノズル一個あたり４０ｃｃ／ｍｉｎであった。
【表１】
2012202648.tif 000003
【００３１】
（ベース運転）
ベース運転では、図２に示された実験用空調機において、付加されたミストノズルから室外ユニットに備えられた熱交換器へは噴霧をしない一般的な空調機と同じ条件で冷房運転を行なった。
（噴霧あり）
噴霧あり運転では、図２に示された空調機において、付加されたミストノズルから室外ユニットに備えられた熱交換器への噴霧を加えて空調機の冷房運転を行なった。
（コンデンサ追加）
コンデンサ追加運転では、図１のように室外ユニットの外側に小容量熱交換器を追加して、併設したミストノズルから小容量熱交換器へは噴霧をしない状態で空調機の冷房運転を行なった。
（コンデンサ＋噴霧）
コンデンサ追加と噴霧あり運転では、図１のように室外ユニットの外側に小容量熱交換器を追加して、併設したミストノズルから微小な浄水の噴霧を加えて空調機の冷房運転を行なった。
【００３２】
実験結果）
それぞれの冷房運転での電流値(消費電力)７．９８−６．２８−７．７３−５．９８（８００−６２９−７７４−６０３（ワット））の比較により、小容量熱交換器（コンデンサ）を追加してそのフィン表面に噴霧を加えた本発明の実施例では、室内吹き出し温度を同じ温度に維持しながら大きく電流値が低減され消費電力が抑えられている効果が確認された。
【００３３】
以上の説明において、熱交換器（凝縮器）に噴霧する水に供給配管８により浄水を供給するとしているが、本装置に活性炭や中空糸等のフィルターを持つことによって一般の上水道を接続することにより所期の目的を達成することが可能であることは自明である。
また、制御手段である制御装置においては小容量熱交換器の温度のほかに、外気温、湿度のセンサを備え、制御手段においてさらに詳細な制御アルゴリズムによって、或いは噴霧手段であるミストノズルに備えるノズルの数や、小容量熱交換器に対するノズルの配置を最適化するなどにより浄水を小容量熱交換器に噴霧することで高度な制御を行い、さらに消費電力の低減、冷凍能力の向上が可能となる。
【００３４】
（本発明による第２の実施例の動作）
第２の実施例においては、
第１の実施例に加え、小容量熱交換器４の温度を検知して噴霧する浄水の量を小容量熱交換器４の温度が５０℃乃至１３０℃の範囲になるように制御する。
これによって、実施例１と同様に噴霧した浄水が微小な水滴となって外気と混じりあうことにより温度が下げられた外気が小容量熱交換器４に当り、高い温度になった小容量熱交換器４において外気温との熱交換がさらに促進されると同時に、小容量熱交換器４のフィンに付着した噴霧した浄水の微小な水滴が活発に蒸発することとなり小容量熱交換器における熱の放散量が増大する。
これらが相俟って、より効率的な熱交換による小容量熱交換器及び既設の空調機等の熱交換器の冷却を可能とし、小容量熱交換器及び既設の空調機の熱交換器における熱媒体の冷却がさらに促進されて、小容量熱交換器及び既設の空調機の熱交換器での凝縮温度がさらに下がり、結果として、既設の空調機等の圧縮機の圧縮仕事がさらに減る、つまりさらに負荷が減り、空調機の冷房・冷凍運転時の消費電力の低減をさらに向上することが可能となる。また付随的に小容量熱交換器及び既設の空調機の熱交換器における過冷却温度も下がりこの空調機の冷凍能力もさらに上ゲルことが可能となる。
【産業上の利用可能性】
【００３５】
本発明は、一般的な家庭用の空調機から、冷蔵・冷凍装置など熱媒体を用いて閉空間や食品等のモノの冷房や冷却・冷凍を行なう装置に適用してその装置等の消費電力の低減が可能であり、特に中・大型・大容量の空調・冷凍装置に適用するものとして有用である。
【符号の説明】
【００３６】
１    空調機
２ａ  室内ユニット
２ｂ  室外ユニット
３    接続配管
４    小容量熱交換器
５    ミストノズル
６    高圧配管
７    高圧ポンプ
８    供給配管
９        電力計
【図１】
2012202648.tif 000004
【図２】
2012202648.tif 000005